(57)【要約】【課題】通常時は収納箱、テーブル、椅子、踏み台、運搬用の台車としても利用でき、簡易トイレとして使用する場合の安定性や強度、使用者の利便性、排泄物の臭気防止性などが向上する簡易トイレ兼収納箱を提供する。【解決手段】本体２の内に排便袋３を収納し使用する簡易トイレ兼収納箱１であって、本体２の上方開口部４を覆い排泄用の排泄孔５が設けられた平板状の中蓋６と、中蓋６の上面に載置され使用者の臀部と当接するクッション部材７と、クッション部材７と排泄孔５とを覆い尽くす天蓋８と、本体２の下面に挿入され着脱自在な複数の車輪部９と、車輪部９を固定する固定部１３と、排泄孔５の周縁部所要位置に刻設され排便袋３の先端部３Aを挿着する複数のスリット部１０とを有する構成からなる。【選択図】図１
2020081346.tif 000002
【特許請求の範囲】
【請求項１】
本体内に排便袋を収納し使用する簡易トイレ兼収納箱であって、前記本体の上方開口部を覆い排泄用の排泄孔が設けられた平板状の中蓋と、前記中蓋の上面に載置され使用者の臀部と当接するクッション部材と、前記クッション部材と前記排泄孔とを覆い尽くす天蓋と、前記本体の下面に挿入され着脱自在な複数の車輪部と、前記車輪部を固定する固定部と、前記排泄孔の周縁部所要位置に刻設され前記排便袋の先端部を挿入し得る複数のスリット部とを有することを特徴とする簡易トイレ兼収納箱。
【請求項２】
前記中蓋の上面所要位置に突設され前記クッション部材を係止するクッションストッパーと、前記スリット部の長さ方向の略中心位置に幅方向を拡張した拡幅部とを有することを特徴とする請求項１に記載の簡易トイレ兼収納箱。
【請求項３】
前記クッション部材は前記排泄孔と重合する部分である第２クッション部と、使用者の臀部と当接する部分である第１クッション部とが着脱自在に嵌合され、該クッション部材の厚みが前記クッションストッパーの厚みより厚いことを特徴とする請求項１又は請求項２に記載の簡易トイレ兼収納箱。
【請求項４】
前記車輪部は、前記本体の下面の前記本体の側面との交点近傍の所要位置に付設された取り付け部と、前記取り付け部に挿入可能な板状の取り付けプレートに突設されたキャスター部とからなり、前記固定部が、前記本体の側面であって前記取り付け部と衝合する位置に突設された固定ブラケット部と、前記固定ブラケット部に刻設された貫通孔である固定スリット部と、前記固定スリット部に挿着可能な板状のＬ型ロックプレートと、前記Ｌ型ロックプレートが脱落することを防止する補助プレートとを有することを特徴とする請求項１から請求項３に記載の簡易トイレ兼収納箱。
【請求項５】
前記本体の側面所要位置に突設され前記天蓋を挿入可能な挿入ブラケットを有することを特徴とする請求項１から請求項４に記載の簡易トイレ兼収納箱。
【発明の詳細な説明】
【技術分野】
【０００１】
本発明は、簡易トイレ兼収納箱に関し、詳しくは、地震や火災などの災害時用、介護用、キャンプ時やドライブ時に使用できる簡易トイレであり、簡易トイレとして使用する時以外は、収納箱やテーブル、椅子、踏み台として使用できる簡易トイレ兼収納箱に関するものである。
【背景技術】
【０００２】
従来から、地震、火災や水害などの災害時に水洗便所が使用不能になった場合に、利用できる非常用の簡易トイレが流通している。ところが、災害時においては水害などによって水に長時間浸かってしまった後に使用できないなどの問題があった。
【０００３】
このような問題に対して特許文献１には、排便用品などの危機管理対策用品が水害などによって水に長時間浸かってしまった後にでも確実に使用できるようにして、その本来の目的を達成することができるようにした、危機管理対策用ボックス（簡易トイレ兼収納箱）が開示されている。
【先行技術文献】
【特許文献】
【０００４】
【特許文献１】登録実用新案第３２１４８４６号公報
【発明の概要】
【発明が解決しようとする課題】
【０００５】
しかし、特許文献１に記載の簡易トイレ兼収納箱では、まず組立が必要であり取り扱いが煩雑であった。また、通常時の用途が限定的であると共に、非常時の簡易トイレとしての機能に関しても、使用時の安定性、排泄物の臭気、使用時のクッション性など様々な問題があった。
【０００６】
本発明は、上記課題を鑑みてなされたものであり、通常時は収納箱、テーブル、椅子、踏み台、運搬用の台車としても利用でき、簡易トイレとして使用する場合の安定性や強度、使用者の利便性、排泄物の臭気防止性などが向上する簡易トイレ兼収納箱を提供することを目的とする。
【課題を解決するための手段】
【０００７】
本発明は、上記目的を達成するために案出されたものである。詳述するならば、略直方体形状を成す本体の内部に、排泄物と排泄物を凝固させる凝固剤などを収納する排便袋を収納し使用する簡易トイレ兼収納箱であって、前記本体の上方開口部を覆い排泄用の排泄孔が設けられた平板状の中蓋と、前記中蓋の上面に載置され使用者の臀部と当接する平板状のクッション部材と、前記クッション部材と前記排泄孔とを覆い尽くす天蓋と、前記本体下面の所要位置に挿入され着脱自在な複数の車輪部と、前記車輪部を固定する固定部と、前記排泄孔の周縁部所要位置に刻設され前記排便袋の先端部を挿入し得る所要長さの複数のスリット部とで構成されているものが含まれる。
【０００８】
本発明の簡易トイレ兼収納箱は、通常時は収納箱、テーブル、椅子、踏み台に使用可能であり、さらに車輪を取付けると運搬用の台車としても利用できる。また、災害時などは簡易トイレとして使用することができる効果がある。
【０００９】
本発明には、前記中蓋の上面所要位置に突設され前記クッション部材を係止するクッションストッパーと、前記中蓋の下面所要位置に突設され該中蓋を前記本体の上方開口部に係止する中蓋ストッパーと、前記スリット部の長さ方向の略中心位置に幅方向を拡張し使用者が指先で前記排便袋の先端部を挿入可能とする拡幅部とで構成されているものが含まれる。
【００１０】
本発明の簡易トイレ兼収納箱は、スリット部に使用者が指先を挿入可能な拡幅部を有するので、排便袋をセットする作業が容易であり、また排便袋の先端部を其々中蓋と本体の上方開口部とで挟持ずることで、排便袋がずれ落ちることを防止できる効果がある。
【００１１】
本発明には、前記クッション部材の前記排泄孔と重合する部分である第２クッション部と、使用者の臀部と当接する第１クッション部とが着脱自在に嵌合され、該クッション部材の厚みが前記クッションストッパーの厚さより厚い構成が含まれる。
【００１２】
クッション部材が第２クッション部と第１クッション部とが着脱自在に嵌合され一枚の平板形状を成すことから、通常時は天蓋の上面に配置すると椅子のクッション材として使用でき、クッション部材の厚さがクッションストッパーの厚さより厚いので、簡易トイレとして使用する場合に、使用者の臀部がクッションストッパーに当接することが無くクッション性能が担保され、また、天蓋と中蓋の間に介在させると、本体内部の臭気を密封できる効果がある。
【００１３】
本発明には、前記車輪部が、前記本体下面の前記本体の側面との交点近傍の所要位置に付設された取り付け部と、前記取り付け部に挿入可能な板状の取り付けプレートに突設されたキャスター部とからなり、前記固定部が前記本体の側面であって前記取り付け部と衝合する位置に突設された固定ブラケット部と、前記固定ブラケット部に刻設された貫通孔である固定スリット部と、前記固定スリット部に挿着可能な板状のＬ型ロックプレートと、前記Ｌ型ロックプレートが脱落することを防止する補助プレートとを有する構成が含まれる。
【００１４】
通常時はキャスターを取付けた状態で椅子や台車などに使用し、簡易トイレとして使用する際はキャスターを取り外して固定することで安定した使用感が得られる効果がある。また、キャスターが着脱自在であるばかりではなく、着脱に特別な工具も必要とせず、だれでも簡単に着脱できる効果がある。
【００１５】
本発明には、前記本体の側面所要位置に突設され前記天蓋を和式大便器にある前方に設けた遮蔽物、所謂金隠し状に挿入し抱持可能な挿入ブラケットを有する構成が含まれる。
【００１６】
天蓋を所謂金隠し状に抱持可能であることで、視覚的な遮蔽効果があるばかりか、老人子供などには、座位保持や姿勢保持をサポートするトイレ用の手すりとなる効果がある。
【発明の効果】
【００１７】
本発明の簡易トイレ兼収納箱は、屋内、キャンプ場、ドライブ時の車内などで、収納箱、テーブル、椅子、踏み台、運搬用の台車としても利用でき、簡易トイレとして使用する場合の安定性や強度が確保でき、また、使用者の座位におけるクッション性能が確保でき、排泄物の臭気漏れを防止できる効果がある。
【図面の簡単な説明】
【００１８】
【図１】本発明に係る簡易トイレ兼収納箱の天蓋を挿入ブラケットに挿入した状態を示す斜視図である。
【図２】本発明に係る中蓋の簡易トイレ兼収納箱に載置する向きでの平面図である。
【図３】図２に係る中蓋の簡易トイレ兼収納箱に載置する向きでの底面図である。
【図４】中蓋にクッション部材を載置した状態を示す側面図である。
【図５】クッション部材の第１クッション部と第２クッションとを取り外した状態を示す平面図である。
【図６】簡易トイレ兼収納箱のキャスターとＬ型ロックプレートと補助プレートとを取り外した状態を示す底面図である。
【図７】取り付けプレートに突設されたキャスター部を示す側面図である。
【図８】固定スリット部にＬ型ロックプレートを挿入した状態を示す部分拡大図である。
【図９】図８に補助プレートを挿入した状態を示す部分拡大図である。
【図１０】Ｌ型ロックプレート及び補助プレートの拡大側面図である。
【図１１】排便袋を結束する作業の説明図である。
【図１２】天蓋の下面を示す底面図である。
【図１３】本発明に係る簡易トイレ兼収納箱の収納箱の状態を示す斜視図である。
【発明を実施するための形態】
【００１９】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。なお、本実施形態において、簡易トイレ兼収納箱を組み立てた状態で内部側を内側、外部側を外側といい、また、特に指定しない場合は、組み立てた状態を基準に上下方向、高さ方向、長さ方向、幅方向といい、さらに、長さ方向と平行な向きを前後方向ということとする。
【００２０】
（実施形態）
図１、図２及び図１１に示されるように、本実施形態に係る簡易トイレ兼収納箱１は、略直方体形状を成す本体２の内部に、排泄物と排泄物を凝固させる凝固剤などを収納する排便袋３を収納し使用するもので、本体２の上方開口部４を覆い排泄用の排泄孔５が設けられた平板状の中蓋６と、中蓋６の上面に載置され使用者の臀部と当接する平板状のクッション部材７と、そのクッション部材７と排泄孔５とを覆い尽くす天蓋８と、本体２の下面所要位置に挿入され着脱自在な複数の車輪部９と、その車輪部９を固定する固定部１３と、排泄孔５の周縁部所要位置に刻設され排便袋３の先端部３Ａを挿入し得る所要長さの複数のスリット部１０とで構成されている。
【００２１】
本体２は、略矩形状の底板から略垂直に立ち上がった左右の側壁部と、前後の側壁部とで全体が形成される。その前後の側壁部外側に、持ち運び用の略直方体形状の取手１１が突設され、さらに、その取手１１の上面に同じく持ち運び用のベルト（図示せず）を係止するための略リング形状のフック１２が突設されている。
【００２２】
また、図６及び図７に示されるように、車輪部９は、取付け部９Ｂとキャスター９Ｇとからなる。また、取付け部９Ｂは、本体２の下面の左右側壁部との交点近傍の所要位置に付設され、その取り付け部９Ｂと衝合する位置の左右側壁部外側所要位置に固定スリット部１３Ｂが突設されている。
【００２３】
さらに、本体２の下面の前側側壁部との交点近傍には、天蓋８の先端部を挿入し抱持できる略L字形状の挿入ブラケット１４が付設されている。
【００２４】
キャスター９Ｇは、平面視略矩形の取り付けプレート９Ｃと、取り付けプレート９Ｃに付設された平面視略矩形のキャスター台座９Ｅと、キャスター台座９Ｅにボールベアリング９Ｈを介し回動自在に鋲着されたキャスター部９Ｆとで形成されている。
【００２５】
取り付け部９Ｂは、取り付けプレート９Ｃを挿入可能な間隙を有する取り付けスリット部９Ｄと、キャスター台座９Ｅを挿入可能な略矩形状の切り込み部９Ｅとで全体として平面視略Ｕ字形状に形成され、キャスター９Ｇを左右側壁部側より着脱自在に形成されている。
【００２６】
図８、図９及び図１０に示されるように、固定部１３は、左右側壁部外側所要位置に突設された固定ブラケット部１３Ｅと、固定ブラケット部１３Ｅに刻設され貫通する固定スリット部１３Ｂと、その固定スリット部１３Ｂに挿着可能な板状のＬ型ロックプレート１３Ａと、そのＬ型ロックプレート１３Ａが固定スリット部１３Ｂから脱落することを防止する板状の補助プレート１３Dで構成されている。
【００２７】
固定スリット部１３Ｂは、固定ブラケット部１３Ｅの本体側面側に刻設し、正面視略矩形状に形成され、固定ブラケット部１３Ｅを上下方向に貫通している。Ｌ型ロックプレート１３Ａは、固定スリット部１３Ｂに挿入可能な厚みからなる先端挿入部１３Ｆと、固定スリット部１３Ｂより厚いストッパー部１３Ｃとで形成されている。
【００２８】
また、Ｌ型ロックプレート１３Ａは正面視略L型形状に形成され、固定ブラケット部１３Ｅに挿着した状態で、L型形状の幅が小さい部分は固定スリット部１３Ｂより長く拡幅部は固定スリット部１３Ｂより突出し、装着後右側へ移動可能となる形状に形成されている。
【００２９】
補助プレート１３Dは、Ｌ型ロックプレート１３Ａと同様固定スリット部１３Ｂに挿入可能な厚みからなる先端挿入部１３Ｆと、固定スリット部１３Ｂより厚いストッパー部１３Ｃとで形成されている。また、正面視略矩形状に形成され、Ｌ型ロックプレート１３Ａを装着後右側へ移動した後に、固定スリット部１３Ｂに挿入可能な幅に形成されている。
【００３０】
Ｌ型ロックプレート１３Ａを装着すると、先端挿入部１３Ｆで取り付けプレート９Ｃを封止固定できることになり、補助プレート１３Dを装着すると、Ｌ型ロックプレート１３Ａの脱落を防止できる効果がある。また、Ｌ型ロックプレート１３Ａを取り外すと、取り付けプレート９Ｃの封止は解かれ、キャスター９Ｇは着脱自在の状態となる。
【００３１】
図２及び図３に示されるように、中蓋６は、上方開口部４を覆う平面視略矩形の平板状を成し、略中央部に平面視略矩形状の排泄孔５が設けられている。その排泄孔５の周縁部外側所要位置に、排泄孔５を形成する矩形状の四辺より其々長いスリット部１０が刻設されている。また、その４本のスリット部１０は、排便袋３を装着可能な幅で、長さ方向の略中心位置に幅方向を拡張した略円形状で使用者が指先で前記排便袋３の先端部３Aを挿入可能とする拡幅部１０Aが形成されている。
【００３２】
さらに、中蓋６は、上面の四隅近傍所要位置にクッション部材７を係止するL型形状のクッションストッパー６Aと、下面の四隅近傍所要位置に中蓋６を上方開口部４に係止する略平面視矩形状の中蓋ストッパー６Bとが突設されている。
【００３３】
図４及び図５に示されるように、クッション部材７は、使用者の臀部と当接する第１クッション部７Bと、排泄孔５と略重合する部分である第２クッション部７Aとが着脱自在に嵌合され形成されている。また、クッション部材７は、クッションストッパー６Aの内側に係止可能な平面視略矩形の平板状で、その厚さはクッションストッパー６Aより厚く形成すれば良い。
【００３４】
第２クッション部７Aの外周縁部所要位置には略逆台形状の凸嵌合部７Cが複数個形成されており、また、第１クッション部７Bの内周縁部所要位置には凸嵌合部７Cに対応する略台形状の凹嵌合部７Dが複数個形成されている。
【００３５】
図１２に示されるように、天蓋８は、クッションストッパー６Aの外側に係止可能な平面視略矩形の平板状で、天蓋８の内側周縁部には、クッションストッパー６Aに係止可能な高さの縁部８Aが形成されている。
【００３６】
本体２、天蓋８、中蓋６及び固定部１３は、合板材や合成樹脂、特に繊維強化プラスチックや金属などの高い剛性を有する素材を使用し、製造方法としては、切削加工、プレス成型などで形成すれば良い。
【００３７】
また、クッション部材７は、発泡ポリエチレン、ウレタン系のスポンジ、ゴム系のスポンジなどで成形すれば良い。
【実施例】
【００３８】
以下、本発明の実施例について説明するが、本発明は、以下の実施例に限定されるものではなく、発明の要旨の範囲内で適宜変更して実施できる。
【００３９】
本発明の簡易トイレ兼収納箱１を実施するには、図１３に示される収納箱を組み立てた状態で各部の寸法を以下の様に設定する。
具体的には、簡易トイレ兼収納箱１の全長Ｌ１を４５０ｍｍとし、全高Ｔ１は２９５ｍｍとし、幅Ｗ１は３００ｍｍとした。また、本体２、天蓋８及び中蓋６の厚みは１２ｍｍの合板材を使用した。
また、排泄孔５の寸法は、長さＬ２を２７０ｍｍとし、幅Ｗ２は１３０ｍｍとした。
【００４０】
上記寸法で形成すると、収納部に非常時に有効となる小型照明、手袋、笛、ごみ袋、食料、飲料水などの非常用備品を収納でき、簡易トイレとして使用する場合は、標準的なゴミ袋４５Lを排便袋３として使用することができた。
【００４１】
また、使用方法としては、通常時に収納箱として使用する場合は、フック１２に持ち運び用のベルト（図示せず）を係止して使用すると良い。また、椅子として使用する際は、天蓋８の上面にクッション部材７を載置することでクッション性能が向上する。
【００４２】
簡易トイレとして使用する場合は、凝固剤などを収納した排便袋３を本体２内に収納し、次に中蓋６を上方開口部４に載置し、先端部３Aを排泄孔５から取出し、先端部３Aの四方を其々四カ所のスリット部１０に上方より挿入して中蓋６をやや持ち上げ先端部３Aを折り返し上方開口部４との間で挟持し、最後に四方を平均的に引っ張る。そして、中蓋６の上方へ第１クッション部７Bを載置し、天蓋８の先端部を挿入ブラケット１４に挿入し使用する。排泄物を廃棄する際は、図１１に示すように中蓋６をやや持ち上げ回転させることで排便袋３を結束することができる。
【００４３】
本発明の簡易トイレ兼収納箱は、特別な工具などを使用することなく簡便な方法で組立使用できる。また、収納箱としては非常用の備蓄、ドライブ時の収納、キャンプ時の台車などに使用でき、簡易トイレとしては非常時、ドライブ時緊急用、キャンプ時などに使用できる。さらには、椅子、簡易な机、踏み台など多目的に使用できる効果がある。
【００４４】
簡易トイレの機能として、クッション部材がクッションストッパーよりも厚く形成されていることで、使用者の臀部がクッションストッパーに当接することがなく、クッション性能が向上すると共に、簡易トイレして使用した後は、クッション部材と排便袋と天蓋とが密閉状態にでき、臭気が外に漏れにくい効果がある。
【００４５】
以上のように、本発明を実施するための最良の構成、方法等は、前記記載で開示されているが、本発明はこれに限定されるものではない。
例えば、上記実施形態や実施例では、本体は略直方体形状と説明したが、それに限定するものではなく、例えば平面視略多角形状の柱状体としても良く、特に形状を限定するものではない。
【００４６】
また、上記実施形態では、フック１２を略リング形状と説明したが、それに限定するものではなく、例えばプレート状の部材に貫通孔を形成したものなどでも良く、特に形状を限定するものではない。
【符号の説明】
【００４７】
１    簡易トイレ兼収納箱
２    本体
３    排便袋
３A    先端部
４    上方開口部
５    排泄孔
６    中蓋
６A    クッションストッパー
６B    中蓋ストッパー
７    クッション部材
７A    第２クッション部
７B    第１クッション部
７C    凸嵌合部
７D    凹嵌合部
８    天蓋
８A    縁部
９    車輪部
９B    取付け部
９C    取り付けプレート
９D    取り付けスリット部
９E    キャスター台座
９F    キャスター部
９G    キャスター
１０    スリット部
１０A    拡幅部
１１    取手
１２    フック
１３    固定部
１３A    Ｌ型ロックプレート
１３B    固定スリット部
１３C    ストッパー部
１３D    補助プレート
１３E    固定ブラケット部
【図１】
2020081346.tif 000003
【図２】
2020081346.tif 000004
【図３】
2020081346.tif 000005
【図４】
2020081346.tif 000006
【図５】
2020081346.tif 000007
【図６】
2020081346.tif 000008
【図７】
2020081346.tif 000009
【図８】
2020081346.tif 000010
【図９】
2020081346.tif 000011
【図１０】
2020081346.tif 000012
【図１１】
2020081346.tif 000013
【図１２】
2020081346.tif 000014
【図１３】
2020081346.tif 000015